(57)【要約】【課題】  日照時間に関する提案は既に種々なされているが、その構造とか取扱いや価格に於も高度なものが多くて必ずしも簡便とは言えない為に、一般個人が特定地の四季を通じた日照状況を把握するのはなかなか困難であって、時期や薄明時や天候とかの如何に関らず観測地からの景状が目視出来る限り、現況は勿論のこと計画及び建設中の構築物の概形をして、一年を通じた希望時期の日照状況を把握し、より良い快適な住環境の取得に寄与しようとするものである。【解決手段】  基本原理を日時計に倣った解決策であって、時計の影の方から針先を望む時、その延長線上に見える「もの」が日陰を形成する要因だからこの時の時刻が分ればその日の日照状況が把握出来る訳で、日時計の針先の影の軌跡を軌道に置き換えて軌道の方から針先を望遠鏡式の単純な筒を介して望むように構成した。【選択図】  図１
2007010327.tif 000002
【特許請求の範囲】
【請求項１】
カメラ用三脚等を取付ける為のボルト穴２と、水平で北向きを条件とする基板１の設定作業を安易に行う為に併案したコンパス・水平器１３の設置スペースとを有する基板１に軸承支柱３を立て、この軸承支柱３で支持された軸付継手４とヒンジピン５で結節した可仰案内筒６に可変角の鏡８を組込んだ観測筒７を滑り挿入し、球型自在継手１２を介したスライダー１１をつまみボルト１０で基板１に組付けた軌道板９の軌道部に沿って移動し、観測筒７又は鏡８に写る筒内景状を特定する事で日照の状況が観測出来るように構成した日照観測器。
【請求項２】
コンパス・水平器１３は基板１の設定条件である方向性と水平性の確定を安易に素早く作業する為のもので、一瞥すれば方位と水平が判断出来るように、従来の磁気コンパスの上に気泡式丸型水平器を重ねて融合させた形態の請求項１に記載の日照観測器。
【発明の詳細な説明】
【技術分野】
【０００１】
この発明は日時計に倣った原理で、単純な筒を介して望遠鏡形式で日陰の要因となる自然物や構築物を目視観測にて特定する事に依って、当該地の日照状況が判断出来るような構造にした日照観測器である。
【背景技術】
【０００２】
居住に関連した日照時間を提供する方法や機器は種々提案（例えば、特許文献１、２参照）が為されているが、供給者側に立った観測機器が殆どで、構造とか精度や価格に於も高度なものが多く、消費者側に立った手頃な機器とは言えず、一般的に個人が住居を求める場合に要望する日照時間は一日の活動時間帯域での日照割合とかその概略時間を問う事が大多数で、陽当りの良さを実感させられる中秋から中春にかけての約半年間に特に重点を置いていて、要求する時間精度も何時頃から何時頃迄とか、何時間程度と言った漠然とした要望であって高い精度を要求していないのが実状である。そういう要望を持つ人達が特定地点の四季を通じた日照の状況を知るのはなかなか困難であり、現地に在っても天候に依ってはその日の状況すら分らず、付近の住民とか業者や担当者等に尋ねたりして、現況に限った範囲内での回答や提示資料に依存するしか無く、計画及び建築中の構築物等に至ってはその日照状況を把握する事は更に困難であった。
【０００３】
【特許文献１】特開昭６３−５０７８４
【特許文献２】特開昭５２−８８０８２
【発明の開示】
【発明が解決しようとする課題】
【０００４】
住居を求める場合、誰しも陽当りの良い快適な環境を望むもので、季節や天候に関らず、一年を通じた要望時期の日照状況を現況は勿論のこと計画及び建設中の構築物等を含めて予測し、加えて、日陰を避け得る高さも推測しようとするものである。
【課題を解決するための手段】
【０００５】
カメラ用三脚等を取付ける為のボルト穴２と、水平で北向きを条件とする基板１の設定作業を安易に行う為に併案したコンパス・水平器１３の設置スペースとを有する基板１に軸承支柱３を立て、この軸承支柱３で支持された軸付継手４とヒンジピン５で結節した可仰案内筒６に可変角の鏡８を組込んだ観測筒７を滑り挿入し、球型自在継手１２を介したスライダー１１をつまみボルト１０で基板１に組付けた軌道板９の軌道部に沿って移動し観測筒７又は鏡８に写る筒内景状を特定する事で日照の状況が観測出来るように構成された本日照観測器で以ってすれば課題を解決出来る。尚、要求される時期や時間帯とか時間精度の観点から、軌道板９の昼間分及び通年分を用意する事は無意味な事から、種類を限定して緯度基準でグループ分けした標準地域版を採用した場合に、標準地域内の夫々の観測地点によって懸念される時差の問題は時差表を用いて修正する事で要望には十分に応え得る精度が確保される。
【発明の効果】
【０００６】
時期や朝夕の薄明時及び時間や天候とかの如何を問う事無く観測地から景状が目視出来る限り、本日照観測器で現地の状況を観測する事で、現況は勿論のこと計画及び建築中の構築物等に対してもその概形が分りさえすれば日照の概況が容易に予測でき、良好で快適な環境の選択に寄与出来るし、原理も構造も操作も簡単だから誰でも容易に扱えるので、日時計に倣って棒頂の影の軌跡を求めて軌道板９の軌跡と比較検討したりする事で時間精度をより向上さす事も可能であって、子供の理科への関心を掴むきっかけに繋げる事も出来る。
【発明を実施するための最良の形態】
【０００７】
日時計に準じ、基板１に軸柱を立ててその先端から軌道版９の軌道部に直接糸を張って観測するように試みたが日陰の形成物の素早い特定に難が有り、誰でも容易に特定出来るよう筒状にしてその筒枠内の景状の中から日陰要因の特定をするようにし、簡便化の観点から要望が多い活動時間帯域に集約すれば軌道板９の縮小も図れる。亦、夏至前後各２ヶ月ばかりの昼、南中時における観測筒７の仰角が大きくなり過ぎて観測し辛い故、簡便化を図る為に倒立像と成る難は有るが鏡８を取付けた。
【０００８】
実施方法としては、現地にて基板１のボルト穴２を利用してカメラ用三脚等を取付け、コンパス・水平器１３を見ながら基板１を水平に保った侭、設定方向を示す矢印（図１で表した矢印のＮ方向）を北に向け固定する。次に、要望する時期や当該地に最適の軌道板９を選定してつまみボルト１０で基板１に組付け、軸付継手４をヒンジピン５で可仰案内筒６と結節して基板１に立つ軸承支柱３に支持させる。
【０００９】
観測筒７、鏡８、スライダー１１、球型自在継手１２とを一体構成にして可仰案内筒
６に滑り挿入し、軌道板９の軌道に沿ってスライダー１１を移動させれば観測筒７又は鏡８に写る筒内景状で日陰要因の大略範囲が特定出来る。その状態の侭で観測筒７内の底部に施した二つの標点が重なる目線の先に山や林や構築物等が在るとき、それ等は日照障害物そのものだからスライダー１１が指示する軌道板９上の時刻目盛を読取り、必要に応じて時差表で時間修正して日照時間を決定する。尚、日照時間の把握が大雑把な時間でも可とするならば、方向性及び水平性に大きな誤差の無い様に手持した侭の観測が可能で、予備観測にも有効な方法である。
【００１０】
計画及び建設中の未完成の構築物等については、ヒンジピン５の中心と軸承支柱３の中心との交点を観測点Pとした図２で、完成予定構築物高さHと観測点Pの高さｈとの相対高さ（H−h）を観測点Pから完成予定構築物A迄の水平距離Lと観測点Pからの特定距離Lcとで比例縮小した代替物Bの高さHcは（H−ｈ）×Lc／Lで与えられる。この代替物Bを、軸承支柱３を中心とした特定距離Lcの円弧上で完成予定構築物Aの方向に配置すれば日照状況が予測出来、日照の障害を回避し得る観測点Pの高さｈを如何程にすれば良いかをも推測できる。
【００１１】
この日照観測器を設定する場合、派生的発明のコンパス・水平器１３を基板1上に置いて方向性と水平性の確定に利用すれば効率良く設定作業が出来る。
【００１２】
発明の実施に際して留意すべき事として、設定条件の方位の確定に身近で安価な磁気コンパスに依存するので、地磁気以外の磁界の影響を考慮し、付近の数個所でコンパス針の揺れを調べて北方向を確定する必要がある。
【００１３】
観測した結果は、方位は磁北に依存し、時間は読取った軌道板９の値を時差表にて時
間修正して決定するが、一般個人が期待する日照時間精度には充分に応え得る。
【図面の簡単な説明】
【００１４】
【図１】本発明の斜視図である。
【図２】完成予定構築物用の説明図である。
【符号の説明】
【００１５】
１  基板
３  軸承支柱
６  可仰案内筒
７  観測筒
９  軌道板
１１  スライダー
１３  コンパス・水平器
【図１】
2007010327.tif 000003
【図２】
2007010327.tif 000004